【手続補正書】
【提出日】平成19年4月24日(2007.4.24)
【手続補正１】
【補正対象書類名】明細書
【補正対象項目名】特許請求の範囲
【補正方法】変更
【補正の内容】
【特許請求の範囲】
【請求項１】  少なくとも１つのＯ結合型潤滑部分を含むトリボネクチン。
【請求項２】  前記部分がβ（１−３）Ｇａｌ−ＧａｌＮＡｃ部分である、請求項１に記載のトリボネクチン。
【請求項３】  請求項１に記載のトリボネクチンであって、該トリボネクチンは、配列番号１のアミノ酸１〜２４および２００〜１４０４を含み、配列番号１のアミノ酸２５〜１９９を欠失する、トリボネクチン。
【請求項４】  請求項１に記載のトリボネクチンであって、該トリボネクチンは、配列番号１のアミノ酸１〜１５６および２００〜１４０４を含み、配列番号１のアミノ酸１５７〜１９９を欠失する、トリボネクチン。
【請求項５】  請求項１に記載のトリボネクチンであって、該トリボネクチンは、配列番号１のアミノ酸１〜１０６および２００〜１４０４を含み、配列番号１のアミノ酸１０７〜１９９を欠失する、トリボネクチン。
【請求項６】  請求項１に記載のトリボネクチンであって、該トリボネクチンが、配列番号１のアミノ酸１〜２５、６７〜１０６および２００〜１４０４を含み、配列番号１のアミノ酸２６〜６６を欠失する、トリボネクチン。
【請求項７】  ポリペプチドを含むトリボネクチンであって、該ポリペプチドのアミノ酸配列は、少なくとも１つのサブユニットを含むが７６個より少なく、ここで、
（ａ）各サブユニットが少なくとも７個のアミノ酸を含み；そして
（ｂ）該サブユニットのアミノ酸配列が、配列番号３に対して少なくとも５０％同一であり、ここで非同一アミノ酸が保存的アミノ酸置換である、
トリボネクチン。
【請求項８】  前記サブユニットのアミノ酸配列が、配列番号３である、請求項７に記載のトリボネクチン。
【請求項９】  配列番号４のアミノ酸配列の１つ以上の繰り返しをさらに含む、請求項７に記載のトリボネクチン。
【請求項１０】  支持表面との間の摩擦係数を低減するとして特徴付けられる、請求項１に記載のトリボネクチン。
【請求項１１】  インビトロで支持表面との間の摩擦係数を低減するとして特徴付けられる、請求項１に記載のトリボネクチン。
【請求項１２】  インビボで支持表面との間の摩擦係数を低減するとして特徴付けられる、請求項１に記載のトリボネクチン。
【請求項１３】  前記トリボネクチンが添加される溶液の粘度を実質的に増大しない、請求項１に記載のトリボネクチン。
【請求項１４】  Ｏ結合型オリゴ糖を含む、請求項７に記載のトリボネクチン。
【請求項１５】  前記オリゴ糖が、Ｎ−アセチルガラクトサミン−ガラクトースである、請求項１４に記載のトリボネクチン。
【請求項１６】  前記トリボネクチンの少なくとも１０％がグリコシル化される、請求項１に記載のトリボネクチン。
【請求項１７】  前記トリボネクチンの少なくとも４０％がグリコシル化される、請求項１に記載のトリボネクチン。
【請求項１８】  前記トリボネクチンの分子量が、２００〜２８０ｋＤａの範囲である、請求項１に記載のトリボネクチン。
【請求項１９】  前記ポリペプチドが、巨核球刺激因子のフラグメントを含む、請求項１に記載のトリボネクチン。
【請求項２０】  前記ポリペプチドが、配列番号１に含まれる残基２００〜１１４０の配列と少なくとも５０％同一であるアミノ酸配列を含む、請求項１に記載のトリボネクチン。
【請求項２１】  前記ポリペプチドが、配列番号１に含まれる残基２００〜１１４０のアミノ酸配列を含む、請求項１に記載のトリボネクチン。
【請求項２２】  前記ポリペプチドが、配列番号１に含まれる残基２００〜１１６７の配列と少なくとも５０％同一であるアミノ酸配列を含む、請求項１に記載のトリボネクチン。
【請求項２３】  前記ポリペプチドが、配列番号１に含まれる残基２００〜１１６７のアミノ酸配列を含む、請求項１に記載のトリボネクチン。
【請求項２４】  前記ポリペプチドが、配列番号１に含まれる残基２００〜１２１２の配列と少なくとも５０％同一であるアミノ酸配列を含む、請求項１に記載のトリボネクチン。
【請求項２５】  前記ポリペプチドが、配列番号１に含まれる残基２００〜１２１２のアミノ酸配列を含む、請求項１に記載のトリボネクチン。
【請求項２６】  前記ポリペプチドが、配列番号１に含まれる残基２００〜１２６３の配列と少なくとも５０％同一であるアミノ酸配列を含む、請求項１に記載のトリボネクチン。
【請求項２７】  前記ポリペプチドが、配列番号１に含まれる残基２００〜１２６３のアミノ酸配列を含む、請求項１に記載のトリボネクチン。
【請求項２８】  前記ポリペプチドが、配列番号１に含まれる残基１〜２４のアミノ酸配列を欠失する、請求項１に記載のトリボネクチン。
【請求項２９】  前記ポリペプチドが、配列番号１に含まれる残基６７〜１０４のアミノ酸配列を欠失する、請求項１に記載のトリボネクチン。
【請求項３０】  トリボネクチンをコードする、単離された核酸分子。
【請求項３１】  前記核酸が、配列番号２に含まれるヌクレオチド６３１〜３４５３の配列を含む、請求項３０に記載の核酸。
【請求項３２】  哺乳動物の関節を潤滑させるための組成物であって、該組成物は、単離されたＭＳＦ遺伝子産物を含む、組成物。
【請求項３３】  哺乳動物の関節を潤滑させるための組成物であって、該組成物は、請求項１に記載のトリボネクチンを含む、組成物。
【請求項３４】  前記関節がヒトのアーティキュレイティング関節である、請求項３３に記載の組成物。
【請求項３５】  前記関節がイヌのアーティキュレイティング関節である、請求項３３に記載の組成物。
【請求項３６】  前記関節がウマのアーティキュレイティング関節である、請求項３３に記載の組成物。
【請求項３７】  前記トリボネクチンが、関節内投与に適している、請求項３３に記載の組成物。
【請求項３８】  哺乳動物の関節を潤滑させるための組成物であって、該組成物は、請求項３０に記載の核酸を含む、組成物。
【請求項３９】  哺乳動物における、屈指−関節症−心膜炎症候群を予防するかまたは処置するための組成物であって、該組成物は、トリボネクチンを含む、組成物。
【請求項４０】  トリボネクチンを含む生物学的適合性組成物であって、該組成物は、組織接着形成の阻害に適切な形態である、組成物。
【請求項４１】  前記トリボネクチンが、膜、泡沫、ゲル、または繊維の形態である、請求項４０に記載の組成物。
【請求項４２】  哺乳動物において第１表面と第２表面との間の接着形成を阻害するための組成物であって、該組成物は、該哺乳動物における該表面の接着を阻害するのに十分な量での該第１表面と該第２表面との間の配置に適しているトリボネクチンを含む、組成物。
【請求項４３】  前記第１表面および前記第２表面が、共に前記哺乳動物の損傷した組織である、請求項４２に記載の組成物。
【請求項４４】  前記第１表面または前記第２表面が、人工デバイスである、請求項４２に記載の組成物。
【請求項４５】  前記人工デバイスが整形外科用移植片である、請求項４４に記載の組成物。
【請求項４６】  前記トリボネクチンが、膜、泡沫、ゲル、または繊維の形態である、請求項４２に記載の組成物。
【請求項４７】  前記損傷が外科的切開に起因する、請求項４２に記載の組成物。
【請求項４８】  前記損傷が外傷に起因する、請求項４２に記載の組成物。
【請求項４９】  前記第１表面または前記第２表面が心膜組織である、請求項４２に記載の組成物。
【請求項５０】  哺乳動物において、変形性関節症またはそれに対する素因を診断するのを補助する方法であって、該方法は、該哺乳動物に由来する生物学的サンプルにおいて、巨核球刺激因子（ＭＳＦ）またはそのフラグメント量を測定する工程を包含し、ここでコントロールと比較された該量における増大は、該哺乳動物が変形性関節症を罹患するか、または変形性関節症を発症しやすいかを示す、方法。
【請求項５１】  前記生物学的サンプルが滑液、血液、血清、尿である、請求項５０に記載の方法。
【請求項５２】  前記ＭＳＦフラグメントが、配列番号３のアミノ酸配列を含む、請求項５０に記載の方法。
【請求項５３】  前記ＭＳＦフラグメントが、配列番号５のアミノ酸配列を含む、請求項５０に記載の方法。
【請求項５４】  前記ＭＳＦフラグメントが、配列番号６のアミノ酸配列を含む、請求項５０に記載の方法。